(57)【要約】  【課題】  サイクロン集塵方式の電気掃除機において、ダストカップ１１内のゴミ捨ての際に、既に清掃した場所が汚れないようにする。排気筒１３表面のフィルタ１４を自動清掃する。  【解決手段】  サイクロン集塵ユニット４を、掃除機本体と吸込口体との間のユニット収容部６に対して着脱可能に設け、蓋部１２とダストカップ１１とを接合させたまま、ユニットごとゴミ捨て場まで運べるようにする。そして、このサイクロン集塵ユニット４に清掃手段１５を設ける。この清掃手段１５は、蓋部１２とダストカップ１１との離間動作に伴って、蓋部１２に設けられた排気筒１３の表面に被覆されたフィルタ１４と摺動することにより、フィルタ１４を清掃する。これにより、上記離間動作に伴って、フィルタ１４が自動清掃される。【選択図】      図１
2005168775.tif 000002
【特許請求の範囲】
【請求項１】
掃除機本体に内蔵される電動送風機の運転により、吸込口体から吸引した空気を旋回させて上記空気中の塵埃を分離するサイクロン集塵ユニットを備えた電気掃除機であって、
上記サイクロン集塵ユニットは、上記掃除機本体と上記吸込口体との間のユニット収容部に対して着脱可能に設けられているともに、
空気から分離された塵埃を収容するダストカップと、
上記ダストカップに対して着脱される蓋部と、
上記蓋部に設けられ、当該ユニット内の空気を排気するための排気筒と、
上記排気筒の表面に被覆されるフィルタと、
上記フィルタを清掃する清掃手段とを備えており、
上記清掃手段は、上記蓋部と上記ダストカップとの離間動作に伴って上記フィルタと摺動することにより、上記フィルタを清掃することを特徴とする電気掃除機。
【請求項２】
上記清掃手段は、上記フィルタとの摺動が完了するまで、上記ダストカップに保持される一方、上記摺動が完了した後は、上記排気筒または上記蓋部に保持されることを特徴とする請求項１に記載の電気掃除機。
【請求項３】
上記清掃手段は、上記フィルタとの摺動が完了するまで、上記清掃手段を上記ダストカップに連結する一方、上記摺動が完了した後は、上記連結を解除する連結手段を備えていることを特徴とする請求項１または２に記載の電気掃除機。
【請求項４】
上記ダストカップの内面には、上記連結手段が嵌合するための凹部が形成されていることを特徴とする請求項３に記載の電気掃除機。
【請求項５】
上記排気筒には、上記離間動作に伴う上記清掃手段と上記フィルタとの摺動が完了した後に、上記連結手段が移動して嵌合するための凹部が形成されていることを特徴とする請求項３または４に記載の電気掃除機。
【請求項６】
上記連結手段は、離間した上記蓋部と上記ダストカップとを接合する際に、上記排気筒または上記蓋部に保持される上記清掃手段の保持位置に応じて、上記清掃手段を上記ダストカップに連結することを特徴とする請求項３から５のいずれかに記載の電気掃除機。
【請求項７】
上記清掃手段は、上記連結手段を複数備えていることを特徴とする請求項３から６のいずれかに記載の電気掃除機。
【請求項８】
上記蓋部と上記ダストカップとは、上記排気筒の軸線方向に離間されることを特徴とする請求項１から７のいずれかに記載の電気掃除機。
【請求項９】
上記排気筒には、上記清掃手段を当該排気筒の軸線方向に相対的に案内するための案内部が設けられていることを特徴とする請求項１から８のいずれかに記載の電気掃除機。
【請求項１０】
上記ダストカップには、上記吸込口体から吸引した空気を上記サイクロン集塵ユニット内に導入するための空気導入口が設けられており、
上記清掃手段は、上記ダストカップ内では、上記空気導入口よりも上記蓋部側に位置していることを特徴とする請求項１から９のいずれかに記載の電気掃除機。
【請求項１１】
上記ダストカップは、カップ本体と底部とが分離可能に連結されて構成されていることを特徴とする請求項１から１０のいずれかに記載の電気掃除機。
【請求項１２】
上記蓋部と上記ダストカップとを締結する第１ロック手段をさらに備えていることを特徴とする請求項１から１１のいずれかに記載の電気掃除機。
【請求項１３】
上記ユニット収容部には、上記サイクロン集塵ユニットを位置決めするための位置決め部が設けられている一方、上記サイクロン集塵ユニットには、上記位置決め部と嵌合する嵌合部が設けられていることを特徴とする請求項１から１２のいずれかに記載の電気掃除機。
【請求項１４】
上記サイクロン集塵ユニットを上記ユニット収容部に対して締結する第２ロック手段をさらに備えていることを特徴とする請求項１から１３のいずれかに記載の電気掃除機。
【発明の詳細な説明】
【技術分野】
【０００１】
本発明は、サイクロン集塵方式を採用した電気掃除機に関するものである。
【背景技術】
【０００２】
従来から、サイクロン集塵装置を備えた電気掃除機が広く使用されている。このサイクロン集塵装置は、掃除機本体に内蔵された電動送風機の運転により、吸込口体から吸引された空気を高速旋回させて、当該空気から塵埃を遠心分離するものである。この種の電気掃除機としては、例えば特許文献１に開示されたものがある。以下、この電気掃除機について説明する。
【０００３】
図１６は、特許文献１に記載の電気掃除機１０１の概略の構成を示している。この電気掃除機１０１は、掃除機本体１０２を有している。掃除機本体１０２は、電動送風機１０３を内蔵している。この掃除機本体１０２には、サクションホース１０４および接続パイプ１０５を介して吸込口体１０６が接続されている。吸込口体１０６は、床面に面する吸込口１０７を有している。
【０００４】
サクションホース１０４と接続パイプ１０５との間には、サイクロン集塵装置１０８が配置されている。サイクロン集塵装置１０８の入口部は、接続パイプ１０５に接続され、出口部は、サクションホース１０４に接続されている。これにより、吸込口体１０６から接続パイプ１０５、サイクロン集塵装置１０８、サクションホース１０４を経て電動送風機１０３に至る吸気路が形成されている。
【０００５】
上記構成の電気掃除機１０１において、電動送風機１０３が駆動されると、吸気路に吸気流が発生し、吸込口体１０６の吸込口１０７から床面上の塵埃を含む空気が吸引される。当該空気は、接続パイプ１０５を経てサイクロン集塵装置１０８に至り、ここでの高速旋回により、空気中の塵埃が遠心分離され、空気のみがサクションホース１０４を介して電動送風機１０３に吸引され、本体１０２の外部へと排出される。
【０００６】
次に、上記したサイクロン集塵装置１０８の詳細について説明する。図１７は、サイクロン集塵装置１０８の概略の構成を示している。
【０００７】
サイクロン集塵装置１０８は、サイクロン本体２０１と、ダストカップ２０２とを有している。ダストカップ２０２は、サイクロン本体２０１に対して着脱自在に設けられており、サイクロン集塵装置１０８の内部で遠心分離された塵埃を収容する。ダストカップ２０２をサイクロン本体２０１から取り外せば、ダストカップ２０２内の塵埃を捨てることができる。
【０００８】
一方、サイクロン本体２０１は、接続パイプ１０５とサクションホース１０４との間の吸気路１０９に連通するように設けられている。このサイクロン本体２０１は、気流の高速旋回の中心位置に排気筒２０３を有している。サイクロン集塵装置１０８の内部で旋回された空気は、排気筒２０３に設けられた排出口２０３ａを介してサイクロン集塵装置１０８の外部に排出される。また、排気筒２０３の表面には、排出口２０３ａを覆うようにフィルタ２０４が装着されている。このフィルタ２０４は、遠心力では気流から分離できなかった細かい塵埃を捕捉するものであり、ナイロン等の合成繊維を織って細かいメッシュを形成したもので構成されている。
【０００９】
ところで、このようなサイクロン集塵装置１０８を備えた電気掃除機１０１を長時間使用すると、フィルタ２０４に付着する塵埃が増大し、フィルタ２０４が目詰まりを起こす。この場合、電動送風機１０３による吸込気流の流量が減少するため、吸塵能力が低下する。そこで、このような不都合を回避するために、電気掃除機１０１では、フィルタ２０４を適宜清掃し、目詰まりを解消するようにしている。より具体的には、ユーザがダストカップ２０２内の塵埃を捨てるべく、ダストカップ２０２をサイクロン本体２０１から取り外す際に、その取り外し動作と連動してフィルタ清掃機構である清掃手段２０５を動かすことで、自動的にフィルタ２０４の目詰まりを解消するようにしている。
【特許文献１】特開２００２−３１５７０１号公報
【発明の開示】
【発明が解決しようとする課題】
【００１０】
ところが、特許文献１の構成では、排気筒２０３を有するサイクロン本体２０１自体が吸気路１０９に固定された構成であるため、ダストカップ２０２内の塵埃を捨てるべく、ダストカップ２０２をサイクロン本体２０１から取り外した後は、サイクロン本体２０１の排気筒２０３（フィルタ２０４）がその場で露出されたままとなる。その結果、振動、衝撃等が排気筒２０３に加わった場合に、排気筒２０３に残存している塵埃が、清掃後の室内で飛散および落下し、清掃後の床面や周囲の空気が汚れるという問題が生ずる。
【００１１】
本発明は、上記の問題点を解決するためになされたものであり、その目的は、排気筒表面のフィルタの清掃が可能なサイクロン集塵方式の電気掃除機であって、清掃場所とは別の場所（例えばゴミ捨て場）で排気筒を露出させてダストカップ内の塵埃を捨てることができ、これによって、清掃場所が上記塵埃によって汚れるのを回避できる電気掃除機を提供することにある。
【課題を解決するための手段】
【００１２】
（１）本発明の電気掃除機は、掃除機本体に内蔵される電動送風機の運転により、吸込口体から吸引した空気を旋回させて上記空気中の塵埃を分離するサイクロン集塵ユニットを備えた電気掃除機であって、上記サイクロン集塵ユニットは、上記掃除機本体と上記吸込口体との間のユニット収容部に対して着脱可能に設けられているともに、空気から分離された塵埃を収容するダストカップと、上記ダストカップに対して着脱される蓋部と、上記蓋部に設けられ、当該ユニット内の空気を排気するための排気筒と、上記排気筒の表面に被覆されるフィルタと、上記フィルタを清掃する清掃手段とを備えており、上記清掃手段は、上記蓋部と上記ダストカップとの離間動作に伴って上記フィルタと摺動することにより、上記フィルタを清掃することを特徴としている。
【００１３】
上記の構成によれば、サイクロン集塵ユニット内の塵埃（ゴミ）を捨てる場合には、サイクロン集塵ユニットごとユニット収容部から取り外してゴミ捨て場まで運び、そのゴミ捨て場で蓋部とダストカップとを分離すれば、中身のゴミを捨てることができる。このとき、蓋部とダストカップとの分離によって、蓋部に設けられた排気筒が露出しても、その露出はゴミ捨て場においてなされる。したがって、露出した排気筒に振動、衝撃等が加わったとしても、排気筒に残存している塵埃は、ゴミ捨て場で飛散および落下し、電気掃除機による清掃済みの場所で飛散および落下することはない。その結果、ダストカップ内のゴミ捨て時に、排気筒に残存する塵埃により、清掃済みの場所が汚れるのを回避することができ、衛生面に優れた電気掃除機を提供することができる。
【００１４】
また、上記構成では、蓋部とダストカップとの離間動作に伴って、清掃手段がフィルタを清掃する。上記のフィルタは、蓋部に設けられた排気筒表面に被覆されているので、蓋部とダストカップとの離間動作時には、蓋部とともにフィルタが上記離間方向に移動し、清掃手段と摺動する。したがって、清掃手段によるフィルタ清掃は、例えばフィルタとの摺動が完了するまで、清掃手段をダストカップに保持させておくことで実現可能である。
【００１５】
このような構成により、ダストカップ内のゴミを捨てるべく、蓋部をダストカップから取り外す（離間させる）動作を行うごとに、フィルタが清掃される。これにより、サイクロン集塵ユニットをユニット収容部に着脱する構成においても、フィルタの目詰まりを防止して、サイクロン集塵ユニットの集塵能力の低下を防止することができる。しかも、清掃手段によるフィルタの清掃は、蓋部とダストカップとの離間動作に連動して自動的に行われるので、ユーザが別途フィルタを清掃する必要がなく、サイクロン集塵ユニットをユニット収容部に着脱する構成の電気掃除機において、その利便性を向上させることができる。
【００１６】
（２）本発明の電気掃除機において、上記清掃手段は、上記フィルタとの摺動が完了するまで、上記ダストカップに保持される一方、上記摺動が完了した後は、上記排気筒または上記蓋部に保持される構成であってもよい。
【００１７】
上記の構成によれば、清掃手段は、フィルタとの摺動が完了するまでダストカップに保持されるので、蓋部とダストカップとの離間動作に伴うフィルタと清掃手段との相対的な移動および摺動により、フィルタ全体を確実に清掃することができる。また、上記摺動が完了した後は、清掃手段が排気筒または蓋部に保持されるので、清掃手段を蓋部と一体的にダストカップから分離することができ、ダストカップ内のゴミを捨てることが可能となる。
【００１８】
（３）本発明の電気掃除機は、上記清掃手段は、上記フィルタとの摺動が完了するまで、上記清掃手段を上記ダストカップに連結する一方、上記摺動が完了した後は、上記連結を解除する連結手段を備えている構成であってもよい。
【００１９】
上記の構成によれば、清掃手段とフィルタとの摺動が完了するまで、連結手段により、清掃手段がダストカップに連結され、ダストカップに保持される。これにより、蓋部とダストカップとの離間動作時に、フィルタと清掃手段との相対的な移動による摺動により、フィルタ全体を確実に清掃することができる。また、上記摺動が完了した後は、連結手段による清掃手段とダストカップとの連結が解除されるので、例えば清掃手段を排気筒に保持させた状態で蓋部とダストカップとを分離することができ、ダストカップ内のゴミを捨てることが可能となる。
【００２０】
（４）本発明の電気掃除機において、上記ダストカップの内面には、上記連結手段が嵌合するための凹部（ダストカップ側凹部）が形成されている構成であってもよい。
【００２１】
上記の構成によれば、連結手段がダストカップの凹部に嵌合することで、例えばフィルタとの摺動が完了するまで、清掃手段をダストカップに確実に保持させることができる。これにより、清掃手段とフィルタとの摺動によるフィルタ清掃を確実に行うことができる。
【００２２】
（５）本発明の電気掃除機において、上記排気筒には、上記離間動作に伴う上記清掃手段と上記フィルタとの摺動が完了した後に、上記連結手段が移動して嵌合するための凹部（排気筒側凹部）が形成されている構成であってもよい。
【００２３】
上記の構成によれば、清掃手段とフィルタとの摺動後は、連結手段が移動して排気筒の凹部に嵌合する。これにより、上記摺動後は、連結手段によって清掃手段を一時的に排気筒に保持させることができるとともに、連結手段による清掃手段とダストカップとの連結を確実に解除することができる。したがって、清掃手段を排気筒に保持させた状態で蓋部とダストカップとを確実に分離することが可能となる。
【００２４】
（６）本発明の電気掃除機において、上記連結手段は、離間した上記蓋部と上記ダストカップとを接合する際に、上記排気筒または上記蓋部に保持された上記清掃手段の保持位置に応じて、上記清掃手段を上記ダストカップに連結する構成であってもよい。
【００２５】
上記の構成によれば、離間した蓋部とダストカップとの接合時、清掃手段が排気筒にどのような位置で保持されていても、あるいは、蓋部に保持されていても、その保持位置に応じて、連結手段が清掃手段をダストカップに連結する。これにより、清掃手段の排気筒または蓋部での保持位置に関係なく、最終的には、清掃手段をダストカップに保持させて、蓋部とダストカップとを接合させることができる。
【００２６】
（７）本発明の電気掃除機において、上記清掃手段は、上記連結手段を複数備えている構成であってもよい。
【００２７】
上記構成によれば、複数の連結手段により、清掃手段とダストカップとを複数箇所で連結、固定することができる。これにより、清掃手段とフィルタとの摺動時において、フィルタに対する清掃手段の傾きやブレを無くして、清掃手段とフィルタとの安定した摺動を実現することができる。
【００２８】
（８）本発明の電気掃除機において、上記蓋部と上記ダストカップとは、上記排気筒の軸線方向に離間される構成であってもよい。
【００２９】
上記の構成によれば、蓋部とダストカップとを離間させる方向が、排気筒の軸線方向であるので、蓋部とダストカップとを上記離間方向に引き離す力を、そのまま清掃手段による排気筒表面のフィルタの清掃動作に利用することができる。したがって、ダストカップ内のゴミを捨てるべく、蓋部とダストカップとを離間させる動作によって、ユーザが意識することなく確実にフィルタ清掃を完了させることができる。
【００３０】
（９）本発明の電気掃除機において、上記排気筒には、上記清掃手段を当該排気筒の軸線方向に相対的に案内するための案内部が設けられている構成であってもよい。
【００３１】
上記の構成によれば、蓋部とダストカップとの上記軸線方向の離間動作に伴って、案内部により、清掃手段が上記軸線方向に相対的に案内されるので、排気筒表面のフィルタと清掃手段との摺動方向が上記軸線方向（一定）となる。これにより、フィルタに対する清掃手段の摺動ブレを無くし、上記離間動作に伴うフィルタ清掃を清掃手段に確実に行わせることができる。
【００３２】
（１０）本発明の電気掃除機において、上記ダストカップには、上記吸込口体から吸引した空気を上記サイクロン集塵ユニット内に導入するための空気導入口が設けられており、上記清掃手段は、上記ダストカップ内では、上記空気導入口よりも上記蓋部側に位置している構成であってもよい。
【００３３】
上記の構成によれば、清掃手段が空気導入口からダストカップ内に流入した旋回流の妨げになることがなく、サイクロン集塵ユニットの集塵能力が低下するのを回避することができる。また、例えばゴミ捨ての際に蓋部をダストカップから離間させたときでも、清掃手段が、その下部の空気導入口を含むダストカップ内部を塞ぐようになる。したがって、清掃手段が、第２の蓋部としての機能を果たし、ダストカップ内部からゴミが飛散するのを防止することができる。
【００３４】
（１１）本発明の電気掃除機において、上記ダストカップは、カップ本体と底部とが分離可能に連結されて構成されていてもよい。
【００３５】
この場合、ダストカップを洗浄するときに、カップ本体と底部とを分離することによって、ダストカップ全体を隅々まで洗浄することができるとともに、ゴミが溜まることによって汚れやすい底部を確実に洗浄することができる。
【００３６】
（１２）本発明の電気掃除機は、上記蓋部と上記ダストカップとを締結する第１ロック手段をさらに備えている構成であってもよい。
【００３７】
上記の構成によれば、蓋部とダストカップとが第１ロック手段により締結されれば、サイクロン集塵ユニットをゴミ捨て場まで運ぶ最中でも、蓋部がダストカップに対して開くことがないので、サイクロン集塵ユニットの移動中に内部のゴミが飛散するのを回避することができる。
【００３８】
（１３）本発明の電気掃除機において、上記ユニット収容部には、上記サイクロン集塵ユニットを位置決めするための位置決め部が設けられている一方、上記サイクロン集塵ユニットには、上記位置決め部と嵌合する嵌合部が設けられている構成であってもよい。
【００３９】
この構成では、ユニット収容部の位置決め部に対して、サイクロン集塵ユニットの嵌合部を嵌合させることで、サイクロン集塵ユニットのユニット収容部に対する位置決めがなされるので、サイクロン集塵ユニットを誰でも簡単に、かつ、適切な位置でユニット収容部に取り付けることができる。
【００４０】
（１４）本発明の電気掃除機は、上記サイクロン集塵ユニットを上記ユニット収容部に対して締結する第２ロック手段をさらに備えている構成であってもよい。
【００４１】
この構成によれば、サイクロン集塵ユニットが第２ロック手段によりユニット収容部に締結されれば、例えば清掃中において、ユニット収容部からのサイクロン集塵ユニットの不用意な脱落がなく、本電気掃除機による清掃作業を安心して行うことができる。
【発明の効果】
【００４２】
本発明によれば、サイクロン集塵ユニットがユニット収容部に対して着脱可能に設けられているので、サイクロン集塵ユニットごとユニット収容部から取り外して、例えばゴミ捨て場で蓋部とダストカップとを分離すれば、中身のゴミを捨てることができる。このとき、蓋部に設けられた排気筒が露出するが、たとえ露出した排気筒に振動、衝撃等が加わったとしても、排気筒に残存している塵埃は、ゴミ捨て場で飛散および落下し、電気掃除機による清掃済みの場所で飛散および落下することはない。その結果、ダストカップ内のゴミ捨て時に、排気筒に残存する塵埃により、清掃済みの場所が汚れるのを回避することができ、衛生面に優れた電気掃除機を提供することができる。
【００４３】
また、蓋部とダストカップとの離間させる動作を行うごとに、フィルタが清掃されるので、サイクロン集塵ユニットをユニット収容部に着脱する構成においても、フィルタの目詰まりを防止して、サイクロン集塵ユニットの集塵能力の低下を防止することができる。しかも、フィルタ清掃が蓋部とダストカップとの離間動作に連動して清掃手段によって自動的に行われることにより、ユーザが別途フィルタを清掃する必要がなく、本電気掃除機の利便性を向上させることができる。
【発明を実施するための最良の形態】
【００４４】
本発明の実施の一形態について、図１ないし図１５に基づいて説明すれば、以下の通りである。
【００４５】
（１．全体構成）
図２は、本実施形態の電気掃除機の概略の構成を示す側面図である。本電気掃除機は、吸込口体１と掃除機本体２との間の吸気路に、延長管３、サイクロン集塵ユニット４および接続ホース５を配して構成されている。サイクロン集塵ユニット４は、延長管３と接続ホース５との間に配置されるユニット収容部６（図１（ａ）（ｂ）参照）に収容されている。
【００４６】
掃除機本体２には、電動送風機２ａが内蔵されており、この電動送風機２ａが駆動されると、吸込口体１の吸込口１ａから空気が吸引される。吸引された空気は、延長管３およびユニット収容部６内の吸気路を介してサイクロン集塵ユニット４に供給される。サイクロン集塵ユニット４では、供給された空気が高速旋回されて、上記空気中の塵埃が遠心分離される。遠心分離後の空気は、接続ホース５を介して掃除機本体２に送られ、そこから外部に排出される。
【００４７】
（２．サイクロン集塵ユニットの構成）
次に、サイクロン集塵ユニット４の詳細な構成について説明する。
【００４８】
図１（ａ）（ｂ）は、サイクロン集塵ユニット４の概略の構成を示す断面図であって、図１（ａ）は、サイクロン集塵ユニット４がユニット収容部６に収容されている状態での断面図を、図１（ｂ）は、サイクロン集塵ユニット４がユニット収容部６から取り外されつつある状態での断面図を示している。このように、サイクロン集塵ユニット４は、ユニット収容部６に対して着脱可能に設けられており、ダストカップ１１と、蓋部１２と、排気筒１３と、フィルタ１４と、清掃手段１５とを有している。
【００４９】
（２−１．ダストカップ）
ダストカップ１１は、ユニット内での空気の高速旋回により、当該空気から遠心分離された塵埃を収容するものであり、開口部を有するカップ形状をなしている。ここで、図３は、サイクロン集塵ユニット４のダストカップ１１を縦断面で２分割したときの一方の分解斜視図を示している。このダストカップ１１は、カップ本体１１ａと底部１１ｂとが分離可能に連結されて構成されている。ダストカップ１１を洗浄するときには、カップ本体１１ａと底部１１ｂとを分離すれば、それらの洗浄がしやすくなる。
【００５０】
また、ユーザがダストカップ１１の開口部から手を入れても底まで届かないような場合でも、ダストカップ１１を分離することで、底（底部１１ｂ）まで確実に洗浄することができる。したがって、ダストカップ１１を縦長に大きく形成することも可能となり、塵埃収容量の大きなサイクロン集塵ユニット４を実現することもできる。
【００５１】
なお、カップ本体１１ａと底部１１ｂとの固定方法は、ネジ止めであってもよく、バイオネット等の他の固定方法であってもよい。また、ダストカップ１１を分割する位置は、ダストカップ１１の長さに応じて適宜決めればよく、例えば底面のみが分割される位置であってもよい。さらに、ダストカップ１１は、３つ以上の複数個に分離可能に構成されてもよい。
【００５２】
図４は、図１（ａ）におけるＡ−Ａ’線矢視断面図を示している。ダストカップ１１のカップ本体１１ａの周面には、空気導入口１１ｃが設けられている。この空気導入口１１ｃは、吸込口体１から吸引した空気をサイクロン集塵ユニット４内に導入するための入口である。
【００５３】
図５（ａ）は、サイクロン集塵ユニット４の外観を示す斜視図を示し、図５（ｂ）は、上記サイクロン集塵ユニット４を縦断面で２分割したときの一方の斜視図を示している。ダストカップ１１の蓋部１２側の外面には、係止部１１ｄが設けられており、蓋部１２をダストカップ１１にセットしたときには、係止部１１ｄが蓋部１２の後述する第１ロック手段１６の被係止部１６ｂを係止するようになっている。
【００５４】
図６（ａ）は、サイクロン集塵ユニット４の縦断面図であり、図６（ｂ）は、図６（ａ）におけるＢ−Ｂ’線矢視断面図である。ダストカップ１１の内面上部には、後述する清掃手段１５の連結手段２４の頭部２４ａが嵌合する凹部１１ｅが、ダストカップ１１の周方向に形成されている。凹部１１ｅの内面は、頭部２４ａの形状に合わせた曲面形状となっている。
【００５５】
この凹部１１ｅの形成により、蓋部１２のダストカップ１１に対する離接動作の最中に、連結手段２４を凹部１１ｅに嵌合させて、清掃手段１５をダストカップ１１に連結、保持させることができる。したがって、例えば、清掃手段１５と後述するフィルタ１４との摺動が完了するまで、清掃手段１５をダストカップ１１に保持させることで、清掃手段１５とフィルタ１４との摺動によるフィルタ清掃を確実に行うことができる。
【００５６】
また、例えばダストカップ１１の内面に凸部が形成されていると、ダストカップ１１内に収容された塵埃（ゴミ）を、カップを斜めにして捨てるときに、中身のゴミが凸部で引っかかって、スムーズにゴミを捨てることができない。しかし、ダストカップ１１内面に形成されているのは、凸部ではなく凹部１１ｅであるので、ゴミの引っ掛かりなどなく、中身のゴミをスムーズに捨てることができる。
【００５７】
また、図１（ａ）（ｂ）に示すように、上記のユニット収容部６には、サイクロン集塵ユニット４を位置決めするための位置決め部６ａが設けられている。これに伴い、ダストカップ１１の底部１１ｂには、上記の位置決め部６ａに嵌合する嵌合部１１ｆ（図３参照）が設けられている。本実施形態では、位置決め部６ａは凸部で形成されており、嵌合部１１ｆはその凸部が嵌合するような凹部となっている。
【００５８】
このような位置決め部６ａおよび嵌合部１１ｆが設けられていることにより、ダストカップ１１をユニット収容部６に取り付ける際に、常に一定の位置関係となるように適切に、かつ、容易に位置決めがなされる。したがって、ユーザは、ダストカップ１１を適切かつ容易にユニット収容部６に取り付けることができる。なお、上記の位置決め部６ａが凹部で形成されれば、嵌合部１１ｆは上記凹部に嵌合する凸部で形成されればよい。
【００５９】
（２−２．蓋部）
図５（ａ）（ｂ）に示すように、蓋部１２は、ダストカップ１１に対して着脱されるものであり、ダストカップ１１の開口部を塞ぐように設けられる。この蓋部１２には、蓋部１２とダストカップ１１とを締結するための第１ロック手段１６が設けられている。第１ロック手段１６は、ロックボタン１６ａと被係止部１６ｂとを一体的に有している。ロックボタン１６ａの非押圧時には、被係止部１６ｂがダストカップ１１の係止部１１ｄにて係止されることで、蓋部１２とダストカップ１１とが締結される。一方、ロックボタン１６ａの押圧時には、係止部１１ｄに対する被係止部１６ｂの係止が解除され、蓋部１２とダストカップ１１とを分離することが可能となる。
【００６０】
蓋部１２とダストカップ１１とを第１ロック手段１６で締結すれば、サイクロン集塵ユニット４をゴミ捨て場まで運ぶ最中でも、蓋部１２がダストカップ１１に対して開くことがない。したがって、サイクロン集塵ユニット４の移動中に内部のゴミが飛散するのを回避することができる。
【００６１】
また、第１ロック手段１６自体が蓋部１２に凸部となって現れれば、この凸部を基にしてユニット収容部６に対する位置決め（取り付け方向の特定）を容易にすることもできる。したがって、サイクロン集塵ユニット４とユニット収容部６との位置関係を容易に一定とすることができる。また、ユーザが位置決めを意識しなくとも、上記の凸部が大きな目印となるため、ユーザがサイクロン集塵ユニット４をユニット収容部６に取り付ける際の煩わしさも生じない。
【００６２】
図５（ｂ）および図６（ａ）に示すように、蓋部１２には、サイクロン集塵ユニット４をユニット収容部６に対して締結するためのロックレバー１７（第２ロック手段）が設けられている。このロックレバー１７は、バネ等の付勢手段（図示せず）により、ユニット収容部６に設けられた凹部（図示せず）に嵌合する方向に付勢されている。ユーザは、このロックレバー１７を操作することにより、サイクロン集塵ユニット４をユニット収容部６に対して締結したり、その締結を解除したりすることができる。
【００６３】
例えば、ユーザがロックレバー１７を下方に引いて、上記凹部からロックレバー１７の先端を抜けば、ロックレバー１７によるサイクロン集塵ユニット４のユニット収容部６に対する締結が解除される。したがって、ユーザは、位置決め部６ａを中心にサイクロン集塵ユニット４を回動させることで、サイクロン集塵ユニット４をユニット収容部６から取り外すことができる。
【００６４】
逆に、サイクロン集塵ユニット４のユニット収容部６への取り付けは、以下のようにすればよい。まず、ユーザは、位置決め部６ａにダストカップ１１の嵌合部１１ｆを嵌め込み、位置決め部６ａを中心にサイクロン集塵ユニット４をその収容方向に回動させる。サイクロン集塵ユニット４の収容位置の手前では、ロックレバー１７の先端が上記凹部の端面と接触してバネ付勢に抗してへこみ、サイクロン集塵ユニット４の収容位置にてロックレバー１７の先端が上記凹部に嵌合する。これにより、サイクロン集塵ユニット４がユニット収容部６に固定される。
【００６５】
したがって、例えば清掃中において、ユニット収容部６からのサイクロン集塵ユニット４が不用意に脱落することがなく、本電気掃除機による清掃作業を安心して行うことができる。また、ユーザがロックレバー１７の操作により、サイクロン集塵ユニット４をユニット収容部６に対して明瞭簡単に着脱させることができる。さらに、蓋部１２の閉まった状態でサイクロン集塵ユニット４をユニット収容部６から取り外すことができるので、取り外しの際にゴミの飛散も全く生じない。
【００６６】
（２−３．排気筒）
図１（ａ）（ｂ）に示す排気筒１３は、サイクロン集塵ユニット４内で塵埃が遠心分離された後の空気を排気するための筒であり、蓋部１２に設けられている。ここで、図７は、排気筒１３の概略の構成を示す斜視図である。なお、同図では、フィルタ１４の図示を省略している。この排気筒１３には、複数の排出口１３ａが形成されており、ユニット内の空気が排気筒１３の外側から排出口１３ａを介して排気筒１３の内側に入り、ユニット外に排出される。
【００６７】
また、排気筒１３の外側表面には、案内部１３ｂが排気筒１３の軸線方向に沿って形成されている。この案内部１３ｂは、蓋部１２とダストカップ１１との離接時に、排気筒１３が蓋部１２とともに清掃手段１５に対して移動することにより、清掃手段１５を上記軸線方向に相対的に案内するものであり、本実施形態では、清掃手段１５のリブ２２ａ（図８参照）が嵌る溝部で形成されている。
【００６８】
このような案内部１３ｂが形成されていることにより、蓋部１２のダストカップ１１に対する上記軸線方向の離接動作に伴って、清掃手段１５を上記軸線方向に相対的に案内することができる。これにより、フィルタ１４に対する清掃手段１５の摺動ブレを無くし、上記離間動作に伴うフィルタ清掃を清掃手段１５に確実に行わせることができる。なお、清掃手段１５を上記軸線方向に案内できるものであれば、案内部１３ｂは凸部で形成されていても構わない。
【００６９】
排気筒１３の先端、すなわち、排気筒１３の軸線方向において蓋部１２とは反対側の端部１３ｃは、清掃手段１５の後述する保持体２３と当接可能な当接部となっている。この端部１３ｃは、排気筒１３において排出口１３ａが形成されている部分よりも大きい径で形成されており、保持体２３と当接することによって、清掃手段１５の排気筒１３からの抜けを防止することができる。
【００７０】
また、図６（ｂ）に示すように、排気筒１３の軸線方向の上部には、上側凹部１３ｄが形成されており、その軸線方向において上側凹部１３ｄよりも下部には、下側凹部１３ｅが形成されている。これら上側凹部１３ｄおよび下側凹部１３ｅは、排気筒１３の半径方向への連結手段２４の逃げを形成する部分であり、連結手段２４が嵌合可能となっている。連結手段２４が上側凹部１３ｄまたは下側凹部１３ｅに嵌合することによって、連結手段２４による清掃手段１５のダストカップ１１への固定を一時的に解除することができる。
【００７１】
（２−４．フィルタ）
フィルタ１４（図４参照）は、サイクロン集塵ユニット４内で遠心分離によってもなお除去されなかった細かい塵埃を空気中から除去するためのものであり、ナイロン等の合成繊維を織って細かいメッシュを形成したもので構成されている。このフィルタ１４は、排出口１３ａ（図７参照）を覆うように排気筒１３の表面に被覆されている。
【００７２】
（２−５．清掃手段）
図８は、清掃手段１５の外観構成を示す斜視図であり、図９は、サイクロン集塵ユニット４の清掃手段１５での横断面図である。清掃手段１５は、排気筒１３の表面のフィルタ１４と摺動することにより、フィルタ１４を清掃するものであり、クリーニング体２１と、支持体２２と、保持体２３と、連結手段２４とを有して構成されている。
【００７３】
クリーニング体２１は、フィルタ１４と摺動することによってフィルタ１４を清掃するものであり、フィルタ１４の外面を覆うようにリング状に形成されている。
【００７４】
支持体２２は、クリーニング体２１を外側から支持するものであり、リング状に形成されているとともに、その高さ（排気筒１３の軸線方向の長さ）は、クリーニング体２１よりも高くなるように形成されている。
【００７５】
支持体２２の内面であって、クリーニング体２１の非形成位置には、リブ２２ａが形成されている。このリブ２２ａは、支持体２２の中心方向に突出し、排気筒１３の表面にその軸線方向に形成された溝部としての案内部１３ｂ（図７参照）に嵌る形状となっている。
【００７６】
リブ２２ａが案内部１３ｂに嵌ることにより、支持体２２の移動が案内部１３ｂの形成方向に案内される。これにより、蓋部１２をダストカップ１１に対して排気筒１３の軸線方向に離接させたときに、支持体２２にて支持されたクリーニング体２１は、排気筒１３の軸線方向に相対的に移動してフィルタ１４と摺動し、フィルタ１４を清掃することになる。しかも、リブ２２ａが案内部１３ｂに嵌ることにより、排気筒１３に対する支持体２２の回転や傾きは抑えられ、クリーニング体２１は、排気筒１３の軸線方向に確実に案内されることになる。
【００７７】
保持体２３は、支持体２２および連結手段２４を保持するものである。保持体２３の外観は、略椀状となっているが、その底部には、排気筒１３が貫通するように開口部２３ａ（図７参照）が形成されている。また、保持体２３は、その周面と支持体２２の周面との間に所定の間隙が形成されるように、支持体２２の底部を保持しているとともに、リブ２３ｂを介して支持体２２の周面を保持している。
【００７８】
また、支持体２２の周面には、連結手段２４の後述する脚部２４ｃの通路となる開口部２２ｂが形成されている。一方、保持体２３の周面において、支持体２２の開口部２２ｂと対向する位置には、連結手段２４の後述する頭部２４ａの通路となる開口部２３ｃが形成されている。これにより、連結手段２４は、これらの開口部２２ｂ・２３ｃを介して、排気筒１３の半径方向に移動することが可能となる。
【００７９】
連結手段２４は、清掃手段１５をダストカップ１１に連結したり、その連結を解除したりするものであり、本実施形態では、複数（例えば２個）設けられている。このように複数の連結手段２４を清掃手段１５に設けることにより、複数箇所で清掃手段１５とダストカップ１１とが固定されるので、後述するように蓋部１２をダストカップ１１から離間させてフィルタ１４と清掃手段１５とを摺動させる際に、フィルタ１４に対する清掃手段１５の傾きやブレを無くして、安定した摺動を実現することができる。
【００８０】
このとき、複数個の固定場所がダストカップ１１の周面における同一円周上に形成されるように、複数の連結手段２４を設ければ、その効果はより高まる。特に、本実施形態では、各連結手段２４は、保持体２３（または支持体２２）の中心軸に対して対称となるように２個設けられているので、清掃手段１５の傾きやブレを確実に無くすことができ、安定した摺動を確実に実現することができる。
【００８１】
連結手段２４は、例えば樹脂で構成されており、頭部２４ａと、２本の板バネ部２４ｂと、脚部２４ｃとが一体となって構成されている。各板バネ部２４ｂは、支持体２２の外面を支点として、頭部２４ａおよび脚部２４ｃを保持体２３（または支持体２２）の半径方向外側へ付勢している。
【００８２】
このような構成により、板バネ部２４ｂの付勢力に抗する力（上記半径方向内側への力）が連結手段２４に働いていない場合には、上記付勢力により、連結手段２４の頭部２４ａが上記半径方向の最も外側に位置し、例えばダストカップ１１の凹部１１ｅ（図６（ｂ）参照）に嵌合する。これにより、清掃手段１５は、連結手段２４によってダストカップ１１に固定されることになる。一方、板バネ部２４ｂの付勢力に抗する力が連結手段２４に働いている場合には、その力によって連結手段２４が上記半径方向内側に移動して、例えば脚部２４ｃが排気筒１３の上側凹部１３ｄまたは下側凹部１３ｅ（図６（ｂ）参照）に嵌合する。これにより、連結手段２４による清掃手段１５のダストカップ１１への固定が解除されることになる。
【００８３】
ここで、頭部２４ａの先端部（凹部１１ｅとの嵌合側端部）は、図８に示すように、排気筒１３の半径方向（排気筒１３の軸線方向に垂直方向）の長さが、排気筒１３の軸線方向における上部および下部で最小となり、上記軸線方向における中心部で最大となるような曲面形状となっている。これにより、頭部２４ａが凹部１１ｅに嵌合した状態で連結手段２４に上記軸線方向の力がかかったときに、頭部２４ａには、頭部２４ａと凹部１１ｅとの接触によって上記半径方向内側に分力が生じ、頭部２４ａはその分力を受けて上記半径方向内側に移動することが可能となる。
【００８４】
上記構成の清掃手段１５は、ダストカップ１１内では、空気導入口１１ｃよりも蓋部１２側に位置している（図６（ａ）参照）。これにより、清掃手段１５がダストカップ１１内に流入した旋回流の妨げになることがなく、サイクロン集塵ユニット４の集塵能力が低下するのを回避することができる。また、例えばゴミ捨ての際、連結手段２４により清掃手段１５がダストカップ１１に固定された状態で、蓋部１２をダストカップ１１から離間させたときでも、清掃手段１５が第２の蓋としての機能を果たし、ダストカップ１１内部からゴミが飛散するのを防止することができる。
【００８５】
（３．清掃動作）
次に、サイクロン集塵ユニット４のフィルタの清掃動作について、以下に説明する。
【００８６】
サイクロン集塵ユニット４のダストカップ１１内のゴミを捨てるべく、図１（ｂ）に示すように、ユーザがサイクロン集塵ユニット４をユニット収容部６から取り外し、それをゴミ捨て場所まで運ぶ。そして、蓋部１２の第１ロック手段１６を操作して、蓋部１２のダストカップ１１に対する固定を解除する。この状態で、蓋部１２を垂直上方に引き上げる、つまり、蓋部１２とダストカップ１１とを排気筒１３の軸線方向に離間させる。
【００８７】
ここで、図１０（ａ）は、蓋部１２をダストカップ１１から離間させつつある状態のサイクロン集塵ユニット４の外観斜視図であり、図１０（ｂ）は、上記サイクロン集塵ユニット４を縦断面で２分割したときの一方の斜視図であり、図１０（ｃ）は、上記サイクロン集塵ユニット４の縦断面図である。
【００８８】
この状態では、連結手段２４は、排気筒１３の軸線方向において、上側凹部１３ｄと下側凹部１３ｅとの間に位置するため、連結手段２４の排気筒１３側への逃げがない。したがって、連結手段２４における排気筒１３側は、フィルタ１４の面と同面となる一方、ダストカップ１１側は、ダストカップ１１の凹部１１ｅに嵌合しており、連結手段２４を有する清掃手段１５が、この連結手段２４を介してダストカップ１１に固定される。よって、蓋部１２をダストカップ１１から離間させつつある状態で、連結手段２４に不慮の荷重が加わったとしても、清掃手段１５がダストカップ１１から外れることはない。したがって、この場合は、蓋部１２のダストカップ１１からの離間動作に連動して、清掃手段１５のクリーニング体２１（図８参照）により、排気筒１３表面のフィルタ１４の清掃が行われることになる。
【００８９】
このとき、蓋部１２とダストカップ１１とを離間させる方向が、排気筒１３の軸線方向であるので、蓋部１２とダストカップ１１とを上記離間方向に引き離す力を、そのまま清掃手段１５によるフィルタ１４の清掃動作に利用することができる。
【００９０】
次に、図１１（ａ）は、図１０（ａ）の状態から蓋部１２をダストカップ１１に対してさらに離間させて、連結手段２４が排気筒１３の半径方向において下側凹部１３ｅと対向する位置にきた状態でのサイクロン集塵ユニット４の外観斜視図であり、図１１（ｂ）は、上記サイクロン集塵ユニット４を縦断面で２分割したときの一方の斜視図であり、図１０（ｃ）は、上記サイクロン集塵ユニット４の縦断面図である。
【００９１】
この状態では、連結手段２４が下側凹部１３ｅに逃げる（上記半径方向内側に移動する）ことが可能となり、また、排気筒１３の端部１３ｃが清掃手段１５の保持体２３に当接する。したがって、この状態から、蓋部１２をダストカップ１１に対してさらに離間させようとすると、端部１３ｃが保持体２３を持ち上げる状態となり、この保持体２３を介して清掃手段１５の連結手段２４に上方向（蓋部１２の離間方向）の力が働く。
【００９２】
このとき、連結手段２４の頭部２４ａ（図８、図９参照）は、上述した形状を有しているので、頭部２４ａと凹部１１ｅとの接触時に生じる上記半径方向内側への分力により、連結手段２４が上記半径方向内側に移動して、脚部２４ｃ（図８、図９参照）が排気筒１３の下側凹部１３ｅに嵌合する。これにより、清掃手段１５の連結手段２４を介してのダストカップ１１への固定が解除されるのと同時に、清掃手段１５は連結手段２４を介して排気筒１３に一時的に保持される。その結果、清掃手段１５を排気筒１３に保持させたまま、蓋部１２をダストカップ１１から離間させ、これらを完全に分離することが可能となり、ダストカップ１１内のゴミを捨てることが可能となる（図１２（ａ）ないし図１２（ｃ）参照）。このとき、清掃手段１５によるフィルタ１４の清掃は終了しており、ユーザが清掃を意識することはない。
【００９３】
（４．取り付け方法）
次に、ゴミ捨て後における蓋部１２のダストカップ１１への取り付け方法について説明する。
【００９４】
本実施形態では、連結手段２４は、離間した蓋部１２とダストカップ１１とを接合する際に、清掃手段１５の排気筒１３での保持位置に応じて、清掃手段１５をダストカップ１１に連結するようになっている。そこで、説明の便宜上、排気筒１３での清掃手段１５の保持位置を第１の状態から第３の状態まで３分割し、各状態ごとに蓋部１２のダストカップ１１への取り付け方法を説明することとする。
【００９５】
ここで、第１の状態とは、清掃手段１５が排気筒１３に対して最下方位置で保持されている状態を指し、第２の状態とは、清掃手段１５が排気筒１３に対して最上方位置と最下方位置との間の中間位置で保持されている状態を指し、第３の状態とは、清掃手段１５が排気筒１３に対して最上方位置で保持されている状態を指すものとする。
【００９６】
また、これらの各状態では、蓋部１２は、排気筒１３に清掃手段１５を保持させたまま、ダストカップ１１とは完全に分離されているため、連結手段２４に排気筒１３の半径方向内側への力は何ら働いてはおらず、それゆえ、連結手段２４は、板バネ部２４ｂによる付勢力により、上記半径方向の最も外側に位置している。
【００９７】
まず、第１の状態での蓋部１２のダストカップ１１への取り付け方法について説明する。図１２（ａ）は、第１の状態でのサイクロン集塵ユニット４の外観斜視図であり、図１２（ｂ）は、上記サイクロン集塵ユニット４を縦断面で２分割したときの一方の斜視図であり、図１２（ｃ）は、上記サイクロン集塵ユニット４の縦断面図である。
【００９８】
第１の状態では、連結手段２４が下側凹部１３ｅと上記半径方向において対向する位置関係にあり、下側凹部１３ｅに逃げる（上記半径方向内側に移動する）ことが可能となっている。この状態から、蓋部１２をダストカップ１１に対してさらに近づけると、連結手段２４の頭部２４ａがダストカップ１１の開口部の縁に当たり、頭部２４ａが排気筒１３の軸線方向に力を受ける。
【００９９】
このとき、連結手段２４の頭部２４ａは、上述した形状を有しているので、頭部２４ａと上記の縁との接触時に生じる上記半径方向内側への分力により、連結手段２４が上記半径方向内側に移動して、脚部２４ｃが排気筒１３の下側凹部１３ｅに嵌合する。これにより、清掃手段１５を排気筒１３に保持させたまま、蓋部１２をダストカップ１１にさらに近づける可能となる。
【０１００】
やがて、連結手段２４が排気筒１３の半径方向においてダストカップの凹部１１ｅとの対向位置にくると、連結手段２４の板バネ２４ｂの上記半径方向外側への付勢力により、連結手段２４は上記半径方向外側に移動して、連結手段２４の頭部２４ａが凹部１１ｅに嵌合する。これにより、清掃手段１５は、連結手段２４を介してダストカップ１１に固定されることになる。この状態で、蓋部１２をさらにダストカップ１１に近づけていき、前述した第１ロック手段１６によって、蓋部１２とダストカップ１１とを締結すれば、蓋部１２のダストカップ１１へのセットが完了する。
【０１０１】
次に、第２の状態での蓋部１２のダストカップ１１への取り付け方法について説明する。図１３（ａ）は、第２の状態でのサイクロン集塵ユニット４の外観斜視図であり、図１３（ｂ）は、上記サイクロン集塵ユニット４を縦断面で２分割したときの一方の斜視図であり、図１３（ｃ）は、上記サイクロン集塵ユニット４の縦断面図である。
【０１０２】
第２の状態においても、排気筒１３に清掃手段１５を保持させたまま、蓋部１２をダストカップ１１に近づけていく。すると、やがて、図１４に示すように、連結手段２４がダストカップ１１の開口部の縁と当接する。この状態から、蓋部１２をさらにダストカップ１１に近づけると、連結手段２４の頭部２４ａが、上記縁から排気筒１３の軸線方向に力を受けるが、曲面形状の頭部２４ａと上記縁との当接により、連結手段２４には排気筒１３の半径方向の分力が生じる。しかし、この状態では、排気筒１３には、連結手段２４を半径方向内側に逃がすための受け（凹部）は存在しないので、連結手段２４は、上記半径方向内側には移動できない。
【０１０３】
この状態から、さらに蓋部１２をダストカップ１１に近づけると、連結手段２４は、やがて上側凹部１３ｄと上記半径方向において対向するように位置するようになり、上側凹部１３ｄに逃げる（上記半径方向内側に移動する）ことが可能となる。したがって、この状態から、蓋部１２をダストカップ１１に対してさらに近づけると、上記の分力によって連結手段２４が上記半径方向内側に移動して、連結手段２４の脚部２４ｃが排気筒１３の上側凹部１３ｄに嵌合する。これにより、清掃手段１５が排気筒１３に一時的に保持され、清掃手段１５とともに蓋部１２をさらに押し込むことが可能となる。
【０１０４】
やがて、連結手段２４が排気筒１３の半径方向においてダストカップの凹部１１ｅとの対向位置にくると、連結手段２４の板バネ２４ｂの上記半径方向外側への付勢力により、連結手段２４は上記半径方向外側に移動して、連結手段２４の頭部２４ａが凹部１１ｅに嵌合する。これにより、清掃手段１５は、連結手段２４を介してダストカップ１１に固定されることになる。この状態で、蓋部１２をさらにダストカップ１１に近づけていき、前述した第１ロック手段１６によって、蓋部１２とダストカップ１１とを締結すれば、蓋部１２のダストカップ１１へのセットが完了する。
【０１０５】
次に、第３の状態での蓋部１２のダストカップ１１への取り付け方法について説明する。図１５（ａ）は、第３の状態でのサイクロン集塵ユニット４の外観斜視図であり、図１５（ｂ）は、上記サイクロン集塵ユニット４を縦断面で２分割したときの一方の斜視図であり、図１５（ｃ）は、上記サイクロン集塵ユニット４の縦断面図である。
【０１０６】
第３の状態では、連結手段２４が上側凹部１３ｄと排気筒１３の半径方向において対向する位置関係にあり、上側凹部１３ｄに逃げる（上記半径方向内側に移動する）ことが可能となっている。この状態から、蓋部１２をダストカップ１１に近づけると、連結手段２４の頭部２４ａがダストカップ１１の開口部の縁に当たり、頭部２４ａが排気筒１３の軸線方向に力を受ける。
【０１０７】
このとき、連結手段２４の頭部２４ａは、上述した形状を有しているので、頭部２４ａと上記の縁との接触時に生じる上記半径方向内側への分力により、連結手段２４が上記半径方向内側に移動して、連結手段２４の脚部２４ｃが排気筒１３の上側凹部１３ｄに嵌合する。これにより、清掃手段１５を排気筒１３に保持させたまま、蓋部１２をダストカップ１１にさらに近づける可能となる。
【０１０８】
やがて、連結手段２４が排気筒１３の半径方向においてダストカップの凹部１１ｅとの対向位置にくると、連結手段２４の板バネ２４ｂの上記半径方向外側への付勢力により、連結手段２４は上記半径方向外側に移動して、連結手段２４の頭部２４ａが凹部１１ｅに嵌合する。これにより、清掃手段１５は、連結手段２４を介してダストカップ１１に固定されることになる。また、この状態では、蓋部１２とダストカップ１１とが接触した状態となり、前述した第１ロック手段１６によって、蓋部１２とダストカップ１１とを締結すれば、蓋部１２のダストカップ１１へのセットが完了する。
【０１０９】
なお、以上では、蓋部１２とダストカップ１１との離間状態では、清掃手段１５が排気筒１３のみに保持されている場合の例について説明したが、清掃手段１５の位置に応じて、清掃手段１５が排気筒１３と蓋部１２との一方または両方に保持される構成であっても構わない。例えば、清掃手段１５が排気筒１３の軸線方向において最も蓋部１２側に位置しているときには、清掃手段１５を外側から覆うように、蓋部１２が清掃手段１５を保持する構成であってもよい。
【０１１０】
（５．効果）
以上のように、本実施形態の電気掃除機は、（１）サイクロン集塵ユニット４が、掃除機本体２と吸込口体１との間のユニット収容部６に対して着脱可能に設けられているともに、（２）清掃手段１５は、そのサイクロン集塵ユニット４を構成する蓋部１２とダストカップ１１との離間動作に伴って、蓋部１２に設けられる排気筒１３表面のフィルタ１４と摺動することにより、フィルタ１４を清掃する構成である。
【０１１１】
上記（１）の構成により、サイクロン集塵ユニット４内のゴミを捨てる場合には、サイクロン集塵ユニット４ごとユニット収容部６から取り外してゴミ捨て場まで運び、ゴミ捨て場で蓋部１２とダストカップ１１とを分離すれば、中身のゴミを捨てることができる。このとき、蓋部１２とダストカップ１１との分離によって排気筒１３が露出するが、露出するのはゴミ捨て場においてである。したがって、露出した排気筒１３に振動、衝撃等が加わったとしても、排気筒１３に残存している塵埃は、ゴミ捨て場で飛散および落下し、電気掃除機による清掃済みの場所で飛散および落下するのを回避することができる。その結果、上記構成によれば、ダストカップ１１内のゴミ捨て時に排気筒１３に残存する塵埃により、清掃後の床面や室内の空気が汚れるのを回避することができる。また、ゴミ捨て場まで運ばれるのは、蓋部１２とダストカップ１１とを接合させた状態のサイクロン集塵ユニット４であるため、移動中に周囲にゴミが飛散することはなく、ユーザは不快な思いをしなくて済む。
【０１１２】
また、上記（２）の構成によれば、蓋部１２とダストカップ１１との離間動作に伴って、清掃手段１５がフィルタ１４を清掃するので、蓋部１２をダストカップ１１から取り外してダストカップ１１内のゴミ捨てを行うごとに、フィルタ１４を清掃できる。その結果、サイクロン集塵ユニット４をユニット収容部６に着脱する上記（１）の構成においても、フィルタ１４の目詰まりを防止して、サイクロン集塵ユニット４の集塵能力の低下を防止することができる。また、清掃手段１５によるフィルタ１４の清掃は、蓋部１２とダストカップ１１との離間動作に連動して自動的に行われるので、ユーザが別途フィルタ１４を清掃する必要がなく、サイクロン集塵方式の電気掃除機の利便性を向上させることができる。また、上記離間動作時にフィルタ１４から落下する塵埃は、ダストカップ１１内に受け止められるので、これが周囲に飛散することはない。
【０１１３】
また、清掃手段１５は、フィルタ１４との摺動が完了するまで、連結手段２４により、ダストカップ１１に保持されるので、そのダストカップ１１に保持された清掃手段１５により、フィルタ１４全体を確実に清掃することができる。一方、上記摺動が完了した後は、清掃手段１５は、連結手段２４によるダストカップ１１への連結が解除されて排気筒１３に保持されるので、清掃手段１５を蓋部１２と一体的にダストカップ１１から分離することができ、ダストカップ１１内のゴミを捨てることが可能となる。また、清掃手段１５が排気筒１３に保持される、つまり、清掃手段１５が排気筒１３とは別個に分離されないので、ユーザが清掃手段１５を支持すべく、清掃手段１５に手を触れる必要が一切なく、手の汚れを気にしなくても済む。
【０１１４】
また、排気筒１３には、蓋部１２とダストカップ１１との離間動作に伴う清掃手段１５とフィルタ１４との摺動が完了した後に、連結手段２４が移動して嵌合するための凹部（下側凹部１３ｅ）が形成されている。これにより、上記摺動後は、連結手段２４によって清掃手段１５を一時的に排気筒１３に保持させるのと同時に、連結手段２４による清掃手段１５とダストカップ１１との連結を確実に解除することができる。したがって、清掃手段１５を排気筒１３に保持させた状態で蓋部１２とダストカップ１１とを確実に分離することができる。
【０１１５】
また、連結手段２４は、離間した蓋部１２とダストカップ１１とを接合する際に、清掃手段１５の排気筒１３での保持位置に応じて、清掃手段１５をダストカップ１１に連結するので、清掃手段１５が排気筒１３にどのような位置で保持されていても、最終的には、清掃手段１５をダストカップ１１に保持させて、蓋部１２とダストカップ１１とを接合させることができる。したがって、清掃手段１３の排気筒１３での保持位置によって、蓋部１２とダストカップ１１とを接合できないといった誤使用がない。
【０１１６】
また、離間した蓋部１２とダストカップ１１との接合後は、連結手段２４により、清掃手段１５がダストカップ１１に連結されていることになるので、その後、次に、ゴミ捨てのために蓋部１２とダストカップ１１とを再度離間させるときでも、連結手段２４によって清掃手段１５をダストカップ１１に連結した状態で、蓋部１２とダストカップ１１とを離間させることができる。したがって、清掃手段１５によるフィルタ清掃を、上記離間動作開始時から直ちに開始させることができ、フィルタ清掃を有効に行うことができる。
【図面の簡単な説明】
【０１１７】
【図１】本発明の実施の一形態に係る電気掃除機のサイクロン集塵ユニットの概略の構成を示す断面図であって、（ａ）は、上記サイクロン集塵ユニットがユニット収容部に収容されている状態での断面図であり、（ｂ）は、上記サイクロン集塵ユニットがユニット収容部から取り外されつつある状態での断面図である。
【図２】上記電気掃除機の概略の構成を示す側面図である。
【図３】上記サイクロン集塵ユニットのダストカップを縦断面で２分割したときの一方の分解斜視図である。
【図４】図１（ａ）におけるＡ−Ａ’線矢視断面図である。
【図５】（ａ）は、上記サイクロン集塵ユニットの外観を示す斜視図であり、（ｂ）は、上記サイクロン集塵ユニットを縦断面で２分割したときの一方の斜視図である。
【図６】（ａ）は、上記サイクロン集塵ユニットの縦断面図であり、（ｂ）は、同図（ａ）におけるＢ−Ｂ’線矢視断面図である。
【図７】上記サイクロン集塵ユニットの排気筒の概略の構成を示す斜視図である。
【図８】上記サイクロン集塵ユニットの清掃手段の外観構成を示す斜視図である。
【図９】上記サイクロン集塵ユニットの清掃手段での横断面図である。
【図１０】（ａ）は、蓋部をダストカップから離間させつつある状態のサイクロン集塵ユニットの外観斜視図であり、（ｂ）は、上記サイクロン集塵ユニットを縦断面で２分割したときの一方の斜視図であり、（ｃ）は、上記サイクロン集塵ユニットの縦断面図である。
【図１１】（ａ）は、上記サイクロン集塵ユニットの連結手段が排気筒の半径方向において下側凹部と対向する位置にきた状態でのサイクロン集塵ユニットの外観斜視図であり、（ｂ）は、上記サイクロン集塵ユニットを縦断面で２分割したときの一方の斜視図であり、（ｃ）は、上記サイクロン集塵ユニットの縦断面図である
【図１２】（ａ）は、清掃手段が排気筒に対して最下方位置で保持されている第１の状態でのサイクロン集塵ユニットの外観斜視図であり、（ｂ）は、上記サイクロン集塵ユニットを縦断面で２分割したときの一方の斜視図であり、（ｃ）は、上記サイクロン集塵ユニットの縦断面図である。
【図１３】（ａ）は、清掃手段が排気筒に対して最上方位置と最下方位置との間の中央位置で保持されている第２の状態でのサイクロン集塵ユニットの外観斜視図であり、（ｂ）は、上記サイクロン集塵ユニットを縦断面で２分割したときの一方の斜視図であり、（ｃ）は、上記サイクロン集塵ユニットの縦断面図である。
【図１４】連結手段がダストカップの開口部の縁と当接した状態のサイクロン集塵ユニットの断面図である。
【図１５】（ａ）は、清掃手段が排気筒に対して最上方位置で保持されている第３の状態でのサイクロン集塵ユニットの外観斜視図であり、（ｂ）は、上記サイクロン集塵ユニットを縦断面で２分割したときの一方の斜視図であり、（ｃ）は、上記サイクロン集塵ユニットの縦断面図である。
【図１６】従来の電気掃除機の概略の構成を示す説明図である。
【図１７】上記電気掃除機のサイクロン集塵装置の概略の構成を示す断面図である。
【符号の説明】
【０１１８】
１    吸込口体
２    掃除機本体
２ａ  電動送風機
４    サイクロン集塵ユニット
６    ユニット収容部
６ａ  位置決め部
１１    ダストカップ
１１ａ  カップ本体
１１ｂ  底部
１１ｃ  空気導入口
１１ｅ  凹部
１１ｆ  嵌合部
１２    蓋部
１３    排気筒
１３ｂ  案内部
１３ｅ  下側凹部（凹部）
１４    フィルタ
１５    清掃手段
１６    第１ロック手段
１７    ロックレバー（第２ロック手段）
２４    連結手段
【図１】
2005168775.tif 000003
【図２】
2005168775.tif 000004
【図３】
2005168775.tif 000005
【図４】
2005168775.tif 000006
【図５】
2005168775.tif 000007
【図６】
2005168775.tif 000008
【図７】
2005168775.tif 000009
【図８】
2005168775.tif 000010
【図９】
2005168775.tif 000011
【図１０】
2005168775.tif 000012
【図１１】
2005168775.tif 000013
【図１２】
2005168775.tif 000014
【図１３】
2005168775.tif 000015
【図１４】
2005168775.tif 000016
【図１５】
2005168775.tif 000017
【図１６】
2005168775.tif 000018
【図１７】
2005168775.tif 000019